(57)【特許請求の範囲】
【請求項１】
クラウドネットワーク上の記憶領域であるクラウドストレージ内に保存されたファイルフォルダに関する設定情報を表示する設定情報表示装置であって、
前記設定情報表示装置の第１の表示領域に表示される前記クラウドストレージ内の前記ファイルフォルダが選択されたことを検出する検出部と、
前記検出部による検出をトリガーとして、前記選択されたファイルフォルダに保存されているデータを表示するとともに、または前記データが存在しない場合は単独で、前記データが存在する場合には前記データが表示されるべき領域である前記設定情報表示装置の第２の表示領域に、前記選択されたファイルフォルダに関する設定情報を表示するためのアイコンまたは文字列を表示する配置部と、
入力デバイスによって前記アイコンまたは文字列が操作されたことをトリガーとして、前記設定情報表示装置の第３の表示領域に、前記選択されたファイルフォルダに関する設定情報を表示する設定情報表示部と、
を備える設定情報表示装置。
【請求項２】
前記設定情報表示部は、前記クラウドストレージから、前記選択されたファイルフォルダの設定情報を取得して表示する、請求項１に記載の設定情報表示装置。
【請求項３】
前記設定情報表示部によって表示された前記設定情報に対して変更処理が行われた場合には、当該変更処理された設定情報を前記クラウドストレージに送信する設定情報変更部をさらに備える、請求項１または２に記載の設定情報表示装置。
【請求項４】
前記第１の表示領域、前記第２の表示領域、および前記第３の表示領域の一部または全てはウィンドウ領域である、請求項１から３のいずれか一項に記載の設定情報表示装置。
【請求項５】
前記第３の表示領域は、前記第１の表示領域または前記第２の表示領域のプレビュー領域である、請求項１から４のいずれか一項に記載の設定情報表示装置。
【請求項６】
前記第１の表示領域、前記第２の表示領域、および前記第３の表示領域の一部または全てが同一領域である、請求項１から５のいずれか一項に記載の設定情報表示装置。
【請求項７】
コンピュータ装置によって実行され、クラウドネットワーク上の記憶領域であるクラウドストレージ内に保存されたファイルフォルダに関する設定情報を表示するための方法であって、
前記コンピュータ装置の第１の表示領域に表示される前記クラウドストレージ内の前記ファイルフォルダが選択されたことを検出するステップと、
前記検出をトリガーとして、前記選択されたファイルフォルダに保存されているデータを表示するとともに、または前記データが存在しない場合は単独で、前記データが存在する場合には前記データが表示されるべき領域である前記コンピュータ装置の第２の表示領域に、前記選択されたファイルフォルダに関する設定情報を表示するためのアイコンまたは文字列を表示するステップと、
入力デバイスによって前記アイコンまたは文字列が操作されたことをトリガーとして、前記コンピュータ装置の第３の表示領域に、前記選択されたファイルフォルダに関する設定情報を表示するステップと、
を含む、方法。
【請求項８】
請求項７に記載の方法をコンピュータ装置に実行させるためのプログラム。
【発明の詳細な説明】
【技術分野】
【０００１】
本発明は、遠隔リソースに関する設定情報を表示する方法に関する。
【背景技術】
【０００２】
従来、ユーザがスマートフォンやパーソナルコンピュータ装置等の端末からクラウドネットワーク上のクラウドストレージにアクセスしてデータを保存したりデータを読み出して利用することが可能なクラウドコンピューティングシステムが存在する（例えば特許文献１）。このようなクラウドストレージにおいて、ファイルを保存するファイルフォルダにアクセス権限等の設定を行うことが可能である。クラウドストレージは、各フォルダのアクセス権限等の設定情報を保持している。
【先行技術文献】
【特許文献】
【０００３】
【特許文献１】特表２０１４−５０８９７０号公報
【発明の概要】
【発明が解決しようとする課題】
【０００４】
ところで、各フォルダの設定情報を変更するためには、従来は、例えば、別途ウェブブラウザから設定情報変更用のウェブページにアクセスしてログインし、設定画面を開いて設定情報を変更する、または、ユーザがフォルダに対して右クリックすると表示されるメニューに設定情報表示のメニューを表示させた上で設定情報表示のための機能をユーザが選択する、等の方法が採用されていた。このような従来の方法の場合、設定情報を変更するためには複数の操作ステップを要し、操作が煩雑であった。
【０００５】
特にアクセス権の確認はより重要であり、頻繁にアクセス権の確認および設定の操作がユーザによって行われるため、より少ないオペレーションでフォルダのアクセス権の設定情報を簡単に確認できることが望まれる。
【０００６】
本発明は、このような課題に鑑みてなされたものである。
【課題を解決するための手段】
【０００７】
上記課題を解決するために、本発明の一態様は、クラウドネットワーク上の記憶領域であるクラウドストレージ内に保存されたファイルフォルダに関する設定情報を表示する設定情報表示装置であって、前記設定情報表示装置の第１の表示領域に表示される前記クラウドストレージ内の前記ファイルフォルダが選択されたことを検出する検出部と、前記検出部による検出をトリガーとして、前記設定情報表示装置の第２の表示領域に、前記選択されたファイルフォルダに保存されているデータを表示するとともに、または前記データが存在しない場合は単独で、前記選択されたファイルフォルダに関する設定情報を表示するためのアイコンまたは文字列を表示する配置部と、入力デバイスによって前記アイコンまたは文字列が操作されたことをトリガーとして、前記設定情報表示装置の第３の表示領域に、前記選択されたファイルフォルダに関する設定情報を表示する設定情報表示部と、を備える設定情報表示装置である。
【０００８】
また、本発明の他の態様は、コンピュータ装置によって実行され、クラウドネットワーク上の記憶領域であるクラウドストレージ内に保存されたファイルフォルダに関する設定情報を表示するための方法であって、前記コンピュータ装置の第１の表示領域に表示される前記クラウドストレージ内の前記ファイルフォルダが選択されたことを検出するステップと、前記検出をトリガーとして、前記コンピュータ装置の第２の表示領域に、前記選択されたファイルフォルダに保存されているデータを表示するとともに、または前記データが存在しない場合は単独で、前記選択されたファイルフォルダに関する設定情報を表示するためのアイコンまたは文字列を表示するステップと、入力デバイスによって前記アイコンまたは文字列が操作されたことをトリガーとして、前記コンピュータ装置の第３の表示領域に、前記選択されたファイルフォルダに関する設定情報を表示するステップと、を含む、方法である。
【０００９】
また、本発明の他の態様は、上記の方法をコンピュータ装置に実行させるためのプログラムである。
【図面の簡単な説明】
【００１０】
【図１】本発明の一実施形態に係る設定情報表示装置を含む設定情報表示システムの構成の一例を示す図である。
【図２】本発明の一実施形態に係る設定情報表示装置のハードウェア構成の一例を示す図である。
【図３】本発明の一実施形態に係る設定情報表示装置の具体例を示す図である。
【図４】本発明の一実施形態に係る設定情報表示装置の具体例を示す図である。
【図５】本発明の一実施形態に係る設定情報表示装置の具体例を示す図である。
【図６】本発明の一実施形態に係る設定情報表示システムのクラウドストレージにおいて保持される設定情報の具体例を示す図である。
【図７】本発明の一実施形態に係る設定情報表示システムにおける処理の一例を示すシーケンス図である。
【図８】本発明の一実施形態に係る設定情報表示システムにおける処理の一例を示すシーケンス図である。
【発明を実施するための形態】
【００１１】
以下、図面を参照しながら本発明の実施形態について詳しく説明する。
（設定情報表示システムの構成）
図１は、本実施形態に係る設定情報表示装置を含む設定情報表示システムの構成の一例を示す図である。図１に示される設定情報表示システム１において、設定情報表示装置１０は、クラウドネットワーク２０上の記憶領域であるクラウドストレージ３０内に保存されたファイルフォルダに関する設定情報を表示するコンピュータ装置である。設定情報表示装置１０は図示されないインターネット等のネットワークを介してクラウドストレージ３０にアクセスできるようになっていてもよい。設定情報表示装置１０は、例えばクラウドストレージ３０からのサービスを受けているユーザであって、クラウドストレージ３０に当該ユーザ用のファイルフォルダを作成してファイルを保存しているユーザ等が操作する端末装置であることが想定される。設定情報表示装置１０は、例えば、パーソナルコンピュータ装置、スマートフォン、ＰＤＡ（Personal Digital Assistant）、等のコンピュータ装置であってよい。また、「設定情報」とは、例えばファイルフォルダのアクセス権、ファイルフォルダの説明、ファイルフォルダを一意に示すＩＤ、ファイルフォルダのアクセス履歴、およびファイルフォルダに対するリンクの有無、等の設定を示す情報等が該当する。設定情報表示装置１０は、検出部１００と、配置部１１０と、設定情報表示部１２０と、設定情報変更部１３０と、を備える。
【００１２】
検出部１００は、設定情報表示装置１０の第１の表示領域に表示されるクラウドストレージ３０内のファイルフォルダが選択されたことを検出する。検出部１００は、例えばユーザが、マウス、キーボード、タッチパネル等の入力デバイスで、シングルクリック、ダブルクリック、キーボードによるカーソル移動、タッチパネルによるタッチ操作、音声入力による選択指示、等のようなファイルフォルダを選択するための操作でファイルフォルダを選択したことを検出する。「第１の表示領域」とは、例えば、マイクロソフト（登録商標）社のオペレーティングシステムであるWindows（登録商標）、Apple（登録商標）社のオペレーティングシステムであるMac OS（登録商標）、オープン・グループのオペレーティングシステムであるUNIX（登録商標）、等におけるウィンドウ領域、パネル画面、アプリケーション画面、ポップアップ画面、等が該当しうる。（後述の「第２の表示領域」「第３の表示領域」についても同様。）
配置部１１０は、検出部１００による検出をトリガーとして、設定情報表示装置１０の第２の表示領域に、選択されたファイルフォルダに保存されているデータを表示するとともに、または当該データが存在しない場合は単独で、選択されたファイルフォルダに関する設定情報を表示するためのアイコンまたは文字列を表示する。「選択されたファイルフォルダに保存されているデータ」とは、具体的には例えば選択されたファイルフォルダ直下のファイル、ファイルフォルダ、その他の各種データが該当しうる。
【００１３】
設定情報表示部１２０は、入力デバイスによってアイコンまたは文字列が操作されたことをトリガーとして、設定情報表示装置１０の第３の表示領域に、選択されたファイルフォルダに関する設定情報を表示する。「入力デバイスによってアイコンまたは文字列が操作される」とは、アイコンまたは文字列（以下、略して「アイコン等」という場合もある）を、シングルクリック、ダブルクリック、マウスオーバー（マウスポインタをアイコン等の上に重ねる）、キーボードによるカーソル移動、タッチパネルによるタッチ操作、音声入力による選択指示、等のようなアイコン等を指し示す、または選択する等のための操作全般を含みうる。すなわち、設定情報表示装置１０のユーザはファイルフォルダの設定情報を設定情報表示装置１０に表示させるために入力デバイスを操作してアイコン等に対してこのような操作を行う。
【００１４】
また、設定情報表示部１２０は、例えば、選択されたファイルフォルダ直下のファイルやファイルフォルダ等とともにアイコン等が表示されているウィンドウ領域（第２の表示領域）のプレビュー画面（第３の表示領域）、当該ウィンドウ領域（第２の表示領域）の近傍に存在する別のウィンドウ領域（第３の表示領域）、当該ウィンドウ領域（第２の表示領域）と同一画面または別画面内に新たに生成されたウィンドウ領域、パネル画面、アプリケーション画面、ポップアップ画面、等の領域（第３の表示領域）に設定情報を表示するようになっていてもよい。上述した第１の表示領域、第２の表示領域、および第３の表示領域の一部または全てはウィンドウ領域であってよい。また、第３の表示領域は、第１の表示領域または第２の表示領域のプレビュー領域であってもよい。また、設定情報表示装置１０のディスプレイが複数存在する場合（マルチディスプレイの場合）、または設定情報表示装置１０が複数のコンピュータ装置によって構成されている場合等は、第１の表示領域、第２の表示領域、および第３の表示領域の一部または全てが異なるディスプレイに表示されてもよいし、同一ディスプレイに表示されてもよい。さらに後者の場合には、第１の表示領域、第２の表示領域、および第３の表示領域の一部または全ては同一領域であってもよい。
【００１５】
また、通常、ファイルフォルダに関する設定情報はクラウドストレージ３０が保持しているため、設定情報表示部１２０はクラウドストレージ３０から、選択されたファイルフォルダの設定情報を取得して表示する。また、例えば、一度取得した設定情報が設定情報表示装置１０内のキャッシュ等の記憶領域に記憶されている場合には、必ずしもクラウドストレージ３０から設定情報を取得する必要はない。
【００１６】
設定情報変更部１３０は、設定情報表示部１２０によって表示された設定情報に対して変更処理が行われた場合には、当該変更処理された設定情報をクラウドストレージに送信する。例えば、ユーザがキーボードやマウス等の入力デバイスを操作してプレビュー領域等（第３の表示領域）に表示されたファイルフォルダのアクセス権を変更した場合には、当該変更内容が設定情報表示装置１０からインターネット等のネットワークを介してクラウドストレージ３０に送信され、クラウドストレージ３０において変更内容が保存されるようになっていてもよい。
【００１７】
なお、図１に示される設定情報表示システム１および設定情報表示装置１０の構成はあくまで一例であって、これに限定されるものではない。
（ハードウェア構成）
上記説明された設定情報表示システム１の設定情報表示装置１０の構成は、一般的なコンピュータ装置と同様のハードウェア構成によって実現可能である。図２は、設定情報表示装置１０のハードウェア構成の一例を示す図である。図２に示されるコンピュータ装置５０は、一例として、プロセッサ５１と、ＲＡＭ（Random Access Memory）５２と、ＲＯＭ（Read Only Memory）５３と、内蔵のハードディスク装置５４と、外付けハードディスク装置、ＣＤ、ＤＶＤ、ＵＳＢメモリ、メモリスティック、ＳＤカード等のリムーバブルメモリ５５と、ユーザがコンピュータ装置５０とデータのやり取りを行うための入出力ユーザインタフェース５６（キーボード、マウス、タッチパネル、スピーカ、マイク、ランプ等）と、他のコンピュータ装置と通信可能な有線／無線の通信インタフェース５７と、ディスプレイ５８と、を備える。本実施形態に係る設定情報表示装置１０の機能は、例えば、プロセッサ５１が、ハードディスク装置５４やＲＯＭ５３、リムーバブルメモリ５５等にあらかじめ格納されたプログラムをＲＡＭ５２等のメモリに読み出し、処理に必要な上述したデータを、ハードディスク装置５４やＲＯＭ５３、リムーバブルメモリ５５等から適宜読み出しながらプログラムを実行することで実現されうる。
【００１８】
また、ディスプレイ５８はマルチディスプレイであってもよい。さらに、設定情報表示装置１０は単一のコンピュータ装置として構成されていてもよいし、複数のコンピュータ装置によって構成されていてもよい。後者である場合には、それぞれのコンピュータ装置が図２に示されるコンピュータ装置５０の構成と同一または類似の構成を備えていてもよい。
【００１９】
なお、図２に示されるハードウェア構成はあくまで一例であって、これに限定されるものではない。
（具体例）
以下、図３〜図６を用いて、本実施形態に係る設定情報表示装置１０の具体例について説明する。
【００２０】
図３は、設定情報表示装置１０のディスプレイ等に表示される表示画面の一例である。例えば、マイクロソフト（登録商標）社のWindows（登録商標）のfile Explorer等のウィンドウ領域６０は、メニュー領域６１、ファイルやファイルフォルダのパス情報を表示する領域６２、ファイルやファイルフォルダを表示する領域６３、および領域６３において選択されたファイルやファイルフォルダの情報を表示するプレビュー領域６４、等を含んで構成されうる。図３は、Ｚドライブ（Z:\）の直下に「共有資料」フォルダ７１および「個人用」フォルダ７２が存在する状態を示している。ここで、設定情報表示装置１０のユーザがマウス、キーボード、タッチパネル、等の入力デバイスを操作して「共有資料」フォルダ７１をダブルクリック等によって選択すると、図４に示されるように、「共有資料」フォルダ７１内に存在する「管理」フォルダ７３および「ナレッジ」フォルダ７４が表示される。また、この時、これらのファイルフォルダと同一領域である領域６３内に、上位階層の親ファイルフォルダである「共有資料」フォルダ７１のアクセス権（設定情報）を表示させるためのアイコン７５が表示される。図４では、アイコンまたは文字列の一例として、ファイル形式（ダミーファイル）のアイコン７５が表示されている。
【００２１】
そして、ダミーファイルのアイコン７５がダブルクリック等の操作により選択されると、図５に示されるように、領域６３のプレビュー画面６４に「共有資料」フォルダのアクセス権等の情報が表示される。図５の例においてはアクセス権を有するユーザを表示しているが、さらに例えばユーザごとに、閲覧のみ、編集可能、削除可能、等のような操作権限が設定されていてもよい。
【００２２】
ところで、図５に示されるようなファイルフォルダのアクセス権等の設定情報は、クラウドストレージ３０が保持しうる。図６は、クラウドストレージ３０が保持するファイルフォルダごとの設定情報の一例を示す。
【００２３】
図６の例においては、設定情報として、「共有資料」フォルダ７１が選択された際にプレビュー画面に表示されるフォルダの説明、「共有資料」フォルダ７１の配下に「管理」フォルダ７３および「ナレッジ」フォルダ７４が存在すること、これらの下位フォルダの更新日、更新者、サイズ、等の情報、共有情報（アクセス権限を有するユーザ）、等の情報が設定されている。クラウドストレージ３０は、このような設定情報をファイルフォルダごとにハードディスク等の記憶装置に記憶しうる。そして、図５のようにユーザが設定情報表示装置１０に表示されるダミーファイル７５をクリックすると、設定情報表示装置１０は有線または無線の通信ネットワークを介してクラウドストレージ３０にダミーファイル７５と関連付けられているファイルファルダ（本例においては「共有資料」フォルダ）の設定情報を要求する。クラウドストレージ３０は自身が保持している当該ファイルフォルダの設定情報を通信ネットワークを介して設定情報表示装置１０に送信する。設定情報表示装置１０は、受信したファイルフォルダの設定情報をディスプレイ等に表示出力する。その後、ユーザは表示されたファイルフォルダの設定情報を確認しつつ必要に応じて変更する処理等を行う。
（処理シーケンス）
図７および図８は、本実施形態に係る設定情報表示システムにおける処理の一例を示すシーケンス図である。以下、図７および図８の説明においては、図３〜図５の具体例に沿って説明する。
【００２４】
図７は、特定のファイルフォルダが選択された場合に、設定情報表示装置１０が当該ファイルフォルダの下位階層のファイルまたはファイルフォルダとともにアイコン等（ダミーファイル）を表示する場合の一例を示すシーケンス図である。図７は、主に図３の画面から図４の画面に遷移する場合の処理を示す。
【００２５】
ウィンドウ領域６０内に表示された「共有資料」フォルダ７１が、ユーザのマウスのクリック操作等によって選択されると（ステップＳ１０２）、ウィンドウ領域６０（検出部１００）は「共有資料」フォルダ７１が選択されたことを検出し、（配置部１１０は）クラウドストレージ３０に対して「共有資料」フォルダ７１の直下に存在するアイテム情報を要求する（ステップＳ１０４）。ここでは「アイテム情報」とは「共有資料」フォルダ７１の直下に存在するファイル、ファイルフォルダ、その他の各種データが該当しうる。
【００２６】
クラウドストレージ３０は、自身が保持している各ファイルフォルダの設定情報の中から、「共有資料」フォルダ７１に関する設定情報を参照し、「管理」フォルダ７３および「ナレッジ」フォルダ７４が存在する旨の情報を取得する。そして、取得した情報をウィンドウ領域６０（設定情報表示装置１０）に対して送信する（ステップＳ１０６）。ウィンドウ領域６０は、クラウドストレージ３０から受信した情報に、「共有資料」フォルダ７１と関連付けられたダミーのファイルのデータを追加する（すなわち、本例の場合はダミーファイルのファイルデータを設定情報表示装置１０がハードディスク等の記憶領域に保持している。また、ダミーファイルを表示すべきか否かの情報も設定情報表示装置１０が有していてもよい）。より具体的には、例えば当該ダミーファイルの拡張子と、クリック等により当該ダミーファイルが選択されるとクラウドストレージ３０にアクセスして「共有資料」フォルダ７１の設定情報を取得して設定情報表示装置１０のディスプレイに表示するという処理とが関連付けられていてもよい（ステップＳ１０８）。ウィンドウ領域６０は、ステップＳ１０２にてユーザが選択した「共有資料」フォルダ７１の直下（下位階層）に存在する「管理」フォルダ７３および「ナレッジ」フォルダ７４並びにダミーファイル７５を表示する（ステップＳ１１０）。
【００２７】
なお、上記のステップ１０４は主に検出部１００および配置部１１０によって実行されうる。また、ステップＳ１０６、Ｓ１０８、およびＳ１１０は主に配置部１１０によって実行されうる。
【００２８】
図８は、ダミーファイルが操作された場合に実行される処理の一例を示すシーケンス図である。図８は、主に図５に対応する処理を示す。
ウィンドウ領域６０内に表示されたダミーファイル７５が、ユーザの入力デバイス操作等によって選択されると（ステップＳ２０２）、ウィンドウ領域６０はダミーファイル７５が選択されたことを検出し、クラウドストレージ３０に対して、「共有資料」フォルダ７１の設定情報を要求する（ステップＳ２０４）。
【００２９】
クラウドストレージ３０は、自身が保持している各ファイルフォルダの設定情報（図６）の中から、「共有資料」フォルダ７１に関する設定情報を参照し、アクセス権等の設定情報を取得する。そして、取得した設定情報をウィンドウ領域６０（設定情報表示装置１０）に対して送信する（ステップＳ２０６）。ウィンドウ領域６０は、クラウドストレージ３０から受信した設定情報をプレビュー領域に表示する（ステップＳ２０８）。
【００３０】
上記のステップ２０４、Ｓ２０６、およびＳ２０８は主に設定情報表示部１２０によって実行されうる。
また、上記の実施形態においては、ダミーファイルのデータが設定情報表示装置１０に保持されている場合を想定していたが（ステップＳ１０８等参照）、ダミーファイルのデータはクラウドストレージ３０のハードディスク等の記憶領域に保持されていてもよい。この場合、例えば、ステップＳ１０２において「共有資料」フォルダ７１がクリック操作等によって選択されると、ステップＳ１０４において「共有資料」フォルダ７１の直下に存在するアイテム情報とともに設定情報を表示するためのダミーファイルが存在するかを同時に問い合わせてもよい。そして、クラウドストレージ３０はステップＳ１０６において「共有資料」フォルダ７１の配下の「管理」フォルダ７３および「ナレッジ」フォルダ７４が存在する旨の情報と、ダミーファイルのデータとを、ウィンドウ領域６０（設定情報表示装置１０）に送信してもよい。その後、ウィンドウ領域６０（設定情報表示装置１０）にて「管理」フォルダ７３および「ナレッジ」フォルダ７４とともにダミーファイル７５が表示されてもよい（ステップＳ１１０）。さらに、この場合、上述のステップＳ２０４のようにダミーファイル７５が選択されるとクラウドストレージ３０に「共有資料」フォルダ７１の設定情報を要求するようになっていてもよいが、例えばステップＳ１０４でダミーファイルを要求する際に、当該ダミーファイルに関連付けられている「共有資料」フォルダ７１の設定情報を同時にクラウドストレージ３０から取得するようになっていてもよい。また、ダミーファイルのデータまたは「共有資料」フォルダ７１の設定情報は、適宜キャッシュされてもよく、この場合は、ダミーファイル７５または「共有資料」フォルダ７１の設定情報は設定情報表示装置１０のキャッシュから読み出されるようになっていてよい。
【００３１】
以上において、本実施形態は、設定情報表示システム（設定情報表示装置）および設定情報表示システム（設定情報表示装置）によって実行される方法として説明された。しかしながら、本開示が、例えばプロセッサにより実行されると当該プロセッサに当該方法を実行させるプログラム、又は当該プログラムを格納したコンピュータ読み取り可能な記憶媒体として実施され得ることが理解されよう。
【００３２】
上記説明した本実施形態に係る設定情報表示システム（設定情報表示装置）によれば、ユーザはファイルフォルダ配下に表示されるアイコンまたは文字列を選択する等のような簡単な操作のみによってファイルフォルダのアクセス権等の設定情報を確認し、変更することが可能となる。
【００３３】
ここまで、本発明の一実施形態について説明したが、本発明は上述の実施形態に限定されず、その技術的思想の範囲内において種々異なる形態にて実施されてよいことは言うまでもない。
【００３４】
また、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００３５】
１  設定情報表示システム
１０  設定情報表示装置
２０  クラウドネットワーク
３０  クラウドストレージ
１００  検出部
１１０  配置部
１２０  設定情報表示部
１３０  設定情報変更部
５０  コンピュータ装置
５１  プロセッサ
５２  ＲＡＭ
５３  ＲＯＭ
５４  ハードディスク装置
５５  リムーバブルメモリ
５６  入出力ユーザインタフェース
５７  通信インタフェース
５８  ディスプレイ
６０  ウィンドウ領域
６１  メニュー領域
６２  ファイルやファイルフォルダのパス情報の表示領域
６３  ファイルやファイルフォルダの表示領域
６４  プレビュー領域
７１〜７４  ファイルフォルダ
７５  アイコン
【図１】
0006847498.tif 000002
【図２】
0006847498.tif 000003
【図３】
0006847498.tif 000004
【図４】
0006847498.tif 000005
【図５】
0006847498.tif 000006
【図６】
0006847498.tif 000007
【図７】
0006847498.tif 000008
【図８】
0006847498.tif 000009